(57)【特許請求の範囲】
【請求項１】
少なくとも１つの視覚的ディスプレイ装置を備える少なくとも１つの時計の精度を測定する方法であって、前記時計の前記少なくとも１つの視覚的ディスプレイ装置の１つを実験的ディスプレイとして選択し、
−内部または外部の時間基準ソースに結合された画像生成器により生成された、利用者の要求で供給される第１の画像に対応する第１の表示位置に前記実験的ディスプレイがある第１の測定瞬間を、前記対応する内部または外部の時間基準ソースを使って記憶し、前記第１の表示位置は、前記時計の時間表示位置と光学的に比較して、前記第１の画像と同期している測定方法であって、利用者は、前記第１の画像を前記時計の時間表示位置と同期させるために、必要に応じて、前記第１の表示位置を変えて、前記第１の画像に対応する第１の表示値を決定し、前記第１の表示値を前記第１の測定瞬間との相関において記憶手段に記憶し；
−前記第１の測定瞬間に続く、決められた時間間隔後に、前記画像生成器により生成された、利用者の要求で供給される第２の画像に対応する第２の表示位置に前記実験的ディスプレイがある第２の測定瞬間を、前記対応する時間基準ソースを使って記憶し、前記第２の表示位置は、前記時計の時間表示位置と光学的に比較して、前記第２の画像と同期している測定方法であり、利用者は、前記第２の画像を前記時計の時間表示位置と同期させるために、必要に応じて、前記第２の表示位置を変えて、前記第２の画像に対応する第２の表示値を決定し、前記第２の表示値を前記第２の測定瞬間との相関において前記記憶手段に記憶し；
−前記第２の表示値と前記第１の表示値の間の、表示される時間差を計算し；
−前記実験的ディスプレイの歩度の変動を計算し、前記歩度の変動を目視手段上に表示する
ことを特徴とする測定方法。
【請求項２】
少なくとも１つの視覚的ディスプレイ装置を備える少なくとも１つの時計の精度を測定する方法であって、前記時計の前記少なくとも１つの視覚的ディスプレイ装置の１つを実験的ディスプレイとして選択し、
−第１のショットから得られる前記実験的ディスプレイの第１の撮影画像を、内部または外部の時間基準ソースに結合され、かつ前記第１の撮影画像、および前記内部または外部の時間基準ソースにより提供される前記第１のショットの第１の測定瞬間の時間基準点を記憶するための記憶手段を備えるカメラを使って前記第１の測定瞬間に撮り、前記第１の測定瞬間において、前記実験的ディスプレイが前記第１の撮影画像に対応する第１の表示位置にある前記第１の測定瞬間の時間基準点を、対応する内部または外部の時間基準ソースを使って前記記憶手段に記憶し；
−利用者は、画像生成器により生成された第１の構築された画像を前記第１の撮影画像上に重ね、前記第１の構築された画像を前記第１の撮影画像に類似させるために、必要に応じて、前記第１の構築された画像の位置を変更して、前記第１の構築された画像に対応する第１の表示値を決定し、前記第１の表示値を前記第１の測定瞬間との相関において前記記憶手段に記憶し；
−前記第１のショットに続く、決められた時間間隔後に、第２のショットから得られる前記実験的ディスプレイの第２の撮影画像を、前記時間基準ソースに結合され、かつ前記第２の撮影画像、および前記内部または外部の時間基準ソースにより提供される第２のショットの第２の測定瞬間の時間基準点を記憶するための前記記憶手段を備える前記カメラを使って前記実験的ディスプレイ上で第２の測定瞬間に撮り、前記第２の測定瞬間において、前記実験的ディスプレイが前記第２の撮影画像に対応する第２の表示位置にある前記第２の測定瞬間の時間基準点を、対応する内部または外部の時間基準ソースを使って前記記憶手段に記憶し；
−利用者は、前記画像生成器により生成された第２の構築された画像を前記第２の撮影画像上に重ね、前記第２の構築された画像を前記第２の撮影画像に類似させるために、必要に応じて、前記第２の構築された画像の位置を変えて、前記第２の構築された画像に対応する第２の表示値を決定し、前記第２の表示値を前記第２の測定瞬間との相関において前記記憶手段に記憶し；
−前記第２の表示値と前記第１の表示値の間の、表示される時間差を計算し；
−前記実験的ディスプレイの歩度の変動を計算し、前記歩度の変動を目視手段上に表示する
ことを特徴とする測定方法。
【請求項３】
少なくとも１つの視覚的ディスプレイ装置を備える少なくとも１つの時計の精度を測定する方法であって：
−前記時計の前記少なくとも１つの視覚的ディスプレイ装置の１つを実験的ディスプレイとして選択し；
−第１のショットから得られる前記実験的ディスプレイの第１の写真を、内部または外部の時間基準ソースに結合され、前記第１の写真の画像を記憶するための記憶手段を備えるカメラを使って第１の測定瞬間に撮り、画像解析器を使用して前記第１のショットを処理して、前記内部または外部の時間基準ソースにより提供される前記第１の測定瞬間の時間基準点との相関において記憶手段に記憶される第１の表示値を決定し；
−前記第１のショットに続く、決められた時間間隔後に、第２のショットから得られる前記実験的ディスプレイの第２の写真を、前記内部または外部の時間基準ソースに結合され、第２の写真の画像を記憶するための前記記憶手段を備える前記カメラを使って前記実験的ディスプレイ上で第２の測定瞬間に撮り、前記画像解析器を使用して前記第２のショットを処理して、前記内部または外部の時間基準ソースにより提供される前記第２の測定瞬間の時間基準点との相関において記憶手段に記憶される第２の表示値を決定し；
−前記第２の表示値と前記第１の表示値の間の、表示される時間差を計算し；
−前記実験的ディスプレイの歩度の変動を計算し、前記歩度の変動を目視手段上に表示する
ことを特徴とする、請求項１に記載の測定方法。
【請求項４】
−前記第１の測定瞬間との相関において記憶手段に記憶された第１の表示値、および前記第２の測定瞬間との相関において前記記憶手段に記憶された第２の表示値を記憶する一連のサイクルを実行し、表示された差の計算結果、実際の差、歩度の変動および精度を記憶し、平均精度を計算する
ことを特徴とする、請求項１に記載の測定方法。
【請求項５】
−前記第１の測定瞬間との相関において記憶手段に記憶された第１の表示値、および前記第２の測定瞬間との相関において前記記憶手段に記憶された第２の表示値を記憶する一連のサイクルを実行し、表示された差の計算結果、実際の差、歩度の変動および精度を記憶し、平均精度を計算する
ことを特徴とする、請求項２に記載の測定方法。
【請求項６】
−前記第１の測定瞬間との相関において記憶手段に記憶された第１の表示値、および前記第２の測定瞬間との相関において前記記憶手段に記憶された第２の表示値を記憶する一連のサイクルを実行し、表示された差の計算結果、実際の差、歩度の変動および精度を記憶し、平均精度を計算する
ことを特徴とする、請求項３に記載の測定方法。
【請求項７】
−前記方法を複数の時計に適用し、前記第１の測定瞬間との相関において記憶手段に記憶された表示値、および前記第２の測定瞬間との相関において前記記憶手段に記憶された第２の表示値を記憶する各サイクルを各時計に対して同一条件で行い、各時計の精度を計算し、
−前記時計を異なる精度の部類に分類するために、前記時計の精度を比較する
ことを特徴とする、請求項１に記載の測定方法。
【請求項８】
−前記方法を複数の時計に適用し、前記第１の測定瞬間との相関において記憶手段に記憶された表示値、および前記第２の測定瞬間との相関において前記記憶手段に記憶された第２の表示値を記憶する各サイクルを各時計に対して同一条件で行い、各時計の精度を計算し、
−前記時計を異なる精度の部類に分類するために、前記時計の精度を比較する
ことを特徴とする、請求項２に記載の測定方法。
【請求項９】
−前記方法を複数の時計に適用し、前記第１の測定瞬間との相関において記憶手段に記憶された表示値、および前記第２の測定瞬間との相関において前記記憶手段に記憶された第２の表示値を記憶する各サイクルを各時計に対して同一条件で行い、各時計の精度を計算し、
−前記時計を異なる精度の部類に分類するために、前記時計の精度を比較する
ことを特徴とする、請求項３に記載の測定方法。
【請求項１０】
前記方法を複数の時計に適用し、前記時計のショットを同時に同一条件で撮り、他と独立して各時計の前記ショットを処理するために画像識別手段を使用して、かつ画像解析手段および計算手段を制御する制御手段を使用して、各時計の精度を計算し、前記制御手段は、歩度の変動の計算結果を前記時計の各々に割り当てるように構成される
ことを特徴とする、請求項３に記載の測定方法。
【請求項１１】
−前記時間基準ソースに結合した前記カメラを使用して、ショットにより前記第２のショットを拡張し、前記時間基準ソースは、画像解析器が前記第１の測定瞬間に認識した画像と同一の画像を認識したときに前記ショットを停止するように前記解析器に結合され；
−前記画像解析器が前記ショットを停止した測定瞬間に対応する第３の測定瞬間、および前記時間基準ソースにより供給される前記第３の測定瞬間の時間基準点を記憶し；
−前記第３の測定瞬間の前記基準点と前記第１の測定瞬間の前記時間基準点の間の周期差を計算し；
−前記周期差と、前記表示が同一位置に戻ると想定される理論的周期の間の周期の変動を計算し；
−前記周期の変動と前記理論的周期の比として精度を計算する
ことを特徴とする、請求項３に記載の測定方法。
【請求項１２】
−内部または外部の時間基準ソースに結合され、かつショットから得られる画像および／または前記画像に対応する表示値、ならびに前記ショットを撮った測定瞬間の時間基準点を記憶するための記憶手段を備える前記カメラとして、携帯電話またはｉＰｈｏｎｅ（登録商標）またはスマートホンを使用し、前記時間基準点は前記時間基準ソースにより提供される
ことを特徴とする、請求項２に記載の測定方法。
【請求項１３】
−内部または外部の時間基準ソースに結合され、かつショットから得られる画像および／または前記画像に対応する表示値、ならびに前記ショットを撮った測定瞬間の時間基準点を記憶するための記憶手段を備える前記カメラとして、携帯電話またはｉＰｈｏｎｅ（登録商標）またはスマートホンを使用し、前記時間基準点は前記時間基準ソースにより提供される
ことを特徴とする、請求項３に記載の測定方法。
【請求項１４】
−前記時間基準ソースとして周期信号またはＧＰＳ信号を送信する外部時間ソースを使用する
ことを特徴とする、請求項２に記載の測定方法。
【請求項１５】
機械式腕時計（１０）の精度を測定するための装置（１）であって、
−写真および／またはビデオを撮る手段（２）と；
−内部時間基準ソースにより、または外部時間ソース（３Ａ）により送信される信号を受信し、処理して、前記装置（１）の内部にあるリピータクロックを恒久的に更新するように構成された受信および処理手段により形成される時間基準ソース（３）と；
−利用者の要求により生成画像を供給する画像生成手段とを含み；
−写真および／またはビデオを撮る前記手段（２）および前記画像生成手段は前記時間基準ソース（３）に結合されており；
−利用者により変えられた前記生成画像に対応する表示位置に前記機械式腕時計（１０）の時間表示位置があるときの、前記写真および／またはビデオを撮る手段（２）のショットから得られる画像および／または前記画像に対応する表示値、ならびに前記ショットを撮った測定瞬間の、前記時間基準ソース（３）により供給される時間基準点を記憶するための記憶手段（４）と；
−画像解析ハードウェアおよび／またはソフトウェア手段（５）であって、
−撮られた各ショット内の視覚的インジケータの空間内位置；
−および／または撮られた各ショット内の時間表示値を決定するための画像解析ハードウェアおよび／またはソフトウェア手段（５）と；
−前記画像解析ハードウェアおよび／またはソフトウェア手段（５）により提供される表示値間の、および／または前記時間基準ソース（３）により提供される時間基準点間の時間差を計算するように構成され、歩度の変動を計算するための計算手段（６）と；
−前記計算手段（６）により計算された少なくとも１つの歩度の変動を記憶し、処理するように構成された他のデータ処理ユニット（７Ａ）、および／または前記計算手段（６）により計算された少なくとも１つの歩度の変動を表示するように構成された目視手段（７）と
を含むことを特徴とする装置（１）。
【請求項１６】
前記時間基準ソース（３）を参照して、前記撮影手段（２）、前記記憶手段（４）、前記画像解析ハードウェアおよび／またはソフトウェア手段（５）、前記計算手段（６）の処理および解析を協調させて、前記計算手段（６）により計算された歩度の変動を前記目視手段（７）および／または他のデータ処理ユニット（７Ａ）に配送するための制御手段（８）を含むことを特徴とする、請求項１５に記載の装置（１）。
【請求項１７】
互いに独立していくつかの腕時計の、同時に撮ったショットを処理するための画像識別手段を含むこと、および前記画像解析ハードウェアおよび／またはソフトウェア手段（５）および前記計算手段（６）を制御する手段を含み、前記制御手段（８）は、歩度の変動の計算結果を前記腕時計の各々に割り当てるように構成されることを特徴とする、請求項１６に記載の装置（１）。
【請求項１８】
前記時間基準ソース（３）は、外部時間基準ソース（３Ａ）により送信される信号を受信し、処理して、前記装置（１）内部のリピータクロックを恒久的に更新するように構成された受信および処理手段を含み、前記外部時間基準ソース（３Ａ）は、ＧＰＳ信号送信機ネットワークにより、または周期信号を配送する電話網により、または１ヘルツまたは無線の信号を送信するマザークロックにより形成されることを特徴とする、請求項１５に記載の装置（１）。
【請求項１９】
前記時間基準ソース（３）は内部にあり、前記装置（１）内に備えられるクロックにより形成されることを特徴とする、請求項１５に記載の装置（１）。
【請求項２０】
前記時間基準ソース（３）に結合された携帯電話またはｉＰｈｏｎｅ（登録商標）またはスマートホンにより形成されることを特徴とする、請求項１５に記載の装置（１）。
【発明の詳細な説明】
【技術分野】
【０００１】
本発明は、少なくとも１つの視覚的ディスプレイ装置を備える少なくとも１つの時計、特に機械式腕時計の精度を測定する方法に関する。
【０００２】
本発明はまた、この方法を実現するための装置に関する。
【０００３】
本発明は、時計製作技術の分野、および時計の動作性能を検査するための装置に関する。
【背景技術】
【０００４】
利用者が時計の適切な動作、および特に「歩度の変動（ｖａｒｉａｔｉｏｎ  ｉｎ  ｒａｔｅ）」として知られる時計の時間ドリフトを評価することは困難な場合が多い。利用者は、自分の腕時計または時計の特徴を知るために、製造業者を信頼しなければならない。
【０００５】
時計の性能は、特に潤滑のために、または極限条件での摩耗のために、時間が経つにつれて劣化することがある。
【０００６】
機械式腕時計の瞬間的歩度を測定するためのソフトウェアが市場に出現し、このソフトウェアの原理は、携帯電話のマイクロホンを使ってカチカチという音を測定し、この音から腕時計の発振周波数を、したがって、歩度を演繹することにあり、このことにより、腕時計の歩度の変動の推定値が提供される。しかしながら、このタイプのシステムの精度は依然としてあまりよくない、すなわちおよそ５秒／日であり、周囲の背景ノイズが存在する場合、信号を検出することが不可能であるので、このタイプのシステムは使用するのが複雑である。
【０００７】
したがって、現在まで使用されているプロの実験用手段の代替を提供しているが、このソフトウェアはあまりにも制限がありすぎる。
【発明の概要】
【発明が解決しようとする課題】
【０００８】
本発明は、従来技術の制限を克服するために提案される。
【課題を解決するための手段】
【０００９】
本発明は、少なくとも１つの視覚的ディスプレイ装置を備える少なくとも１つの時計、特に機械式腕時計の精度を測定する方法であって：
−前記時計の前記少なくとも１つの視覚的ディスプレイ装置の１つを実験的ディスプレイとして選択し；
−前記ディスプレイが第１の画像に対応する第１の表示位置にある第１の測定瞬間を、対応する内部または外部の時間基準ソースを使って記憶する。前記第１の画像に対応する第１の表示値を決定し、前記第１の表示値を前記第１の瞬間との相関においてメモリに記憶し；
−前記第１の瞬間に続く、決められた時間間隔後に、前記ディスプレイが第２の画像に対応する第２の表示位置にある第２の測定瞬間を、前記対応する時間基準ソースを使って記憶する。前記第２の画像に対応する第２の表示値を決定し、前記第２の表示値を、前記第２の瞬間との相関において前記メモリに記憶し；
−前記第２の表示値と前記第１の表示値の間の、表示される時間差を計算し；
−前記実験的ディスプレイの歩度の変動を計算し、前記歩度の変動を目視手段上に表示する
ことを特徴とする方法に関する。
【００１０】
この方法のステップによれば、
−前記時計の前記少なくとも１つの視覚的ディスプレイ装置の１つを実験的ディスプレイとして選択し；
−第１の写真を、内部または外部の時間基準ソースに結合され、かつ前記第１のショットから得られる第１の画像を記憶するための記憶手段を備えるカメラを使って第１の瞬間に撮り、画像解析器を使用して前記第１のショットを処理して、前記時間基準ソースにより提供される前記第１の瞬間の時間基準点との相関においてメモリに記憶される第１の表示値を決定し；
−前記第１のショットに続く、決められた時間間隔後に、第２の写真を、同一時間基準ソースに結合され、かつ前記第２のショットから得られる第２の画像を記憶するための同一記憶手段を備える同一カメラを使って同一実験的ディスプレイ上で第２の瞬間に撮り、前記画像解析器を使用して前記第２のショットを処理して、前記時間基準ソースにより提供される前記第２の瞬間の時間基準点との相関においてメモリに記憶される第２の表示値を決定し；
−前記第２の表示値と前記第１の表示値の間の、表示される時間差を計算し；
−前記実験的ディスプレイの歩度の変動を計算し、前記歩度の変動を目視手段上に表示する。
【００１１】
本発明はまた、この方法を実現するための装置をも提供するもので、この装置は；
−内部時間基準ソースにより形成される、または外部時間ソースにより送信される信号を受信し、処理して、前記装置の内部にあるリピータクロックを恒久的に更新するように構成された受信および処理手段により形成される時間基準ソースと；
−表示値間の、および／または前記時間基準ソースにより提供される時間基準点間の時間差を計算し、かつ歩度の変動を計算するように構成された計算手段と；
−前記計算手段により計算された少なくとも１つの歩度の変動を記憶し、かつ処理するように構成された他のデータ処理ユニット、および／または前記計算手段により計算された少なくとも１つの歩度の変動を表示するように構成された目視手段と
を含むことを特徴とする装置である。
【００１２】
本発明の特徴によれば、前記装置は：
−写真および／またはビデオを撮る手段と；
−内部時間基準ソースにより形成される、または外部時間ソースにより送信される信号を受信し、処理して、前記装置の内部にあるリピータクロックを恒久的に更新するように構成された受信および処理手段により形成される時間基準ソースと；
−写真および／またはビデオを撮る前記手段は前記時間基準ソースに結合されることと；
−ショットから得られる画像、および前記ショットを撮った瞬間の、前記時間基準ソースにより供給される時間基準点を記憶するための記憶手段と；
画像解析ハードウェアおよび／またはソフトウェア手段であって、
−撮られた各ショット内の視覚的インジケータの空間内位置；
−および／または撮られた各ショット内の時間表示値
を決定するための画像解析ハードウェアおよび／またはソフトウェア手段と；
−前記画像解析手段により提供される表示値間の、および／または前記時間基準ソースにより提供される時間基準点間の時間差を計算するように構成された、歩度の変動を計算するための計算手段と；
−前記計算手段により計算された少なくとも１つの歩度の変動を記憶し、かつ処理するように構成された他のデータ処理ユニット、および／または前記計算手段により計算された少なくとも１つの歩度の変動を表示するように構成された目視手段と
を含む。
【００１３】
本発明の特徴によれば、この装置は、内部または外部の時間基準ソースに結合された携帯電話またはｉＰｈｏｎｅ（登録商標）またはスマートホンにより形成される。
【００１４】
本発明の他の特徴および利点は、添付図面を参照して、以下の詳細な説明を読むと明らかになるであろう。
【図面の簡単な説明】
【００１５】
【図１】第１の瞬間に時計へ向く、本発明を実現するための装置の概略図を示す。
【図２】第２の瞬間に時計へ向く、本発明を実現するための装置の概略図を示す。
【図３】１２時間の倍数だけ時間をずらした、第１の瞬間に時計へ向く、本発明を実現するための装置の部分を形成するカメラの部分的概略図を示す。
【図４】１２時間の倍数だけ時間をずらした、第２の瞬間に時計へ向く、本発明を実現するための装置の部分を形成するカメラの部分的概略図を示す。
【発明を実施するための形態】
【００１６】
本発明は、時計製作技術の分野、および時計の動作性能を検査するための装置に関する。
【００１７】
本発明は、少なくとも１つの視覚的ディスプレイ装置を備える少なくとも１つの時計、特に機械式腕時計の精度を測定する方法に関する。
【００１８】
本発明によれば、本方法は：
−前記時計の前記少なくとも１つの視覚的ディスプレイ装置の１つを、実験的ディスプレイ、たとえば、図に見られるように、秒針、または１組の３つの時針、分針および秒針として選択するステップと；
−前記ディスプレイが第１の画像に対応する第１の表示位置にある第１の測定瞬間を、対応する内部または外部の時間基準ソースを使って記憶する。前記第１の画像に対応する第１の表示値を決定し、前記第１の表示値を前記第１の瞬間との相関においてメモリに記憶するステップと；
−前記第１の瞬間に続く、決められた時間間隔後に、前記ディスプレイが第２の画像に対応する第２の表示位置にある第２の測定瞬間を、前記対応する時間基準ソースを使って記憶する。前記第２の画像に対応する第２の表示値を決定し、前記第２の表示値を、前記第２の瞬間との相関において前記メモリに記憶するステップと；
−前記第２の表示値と前記第１の表示値の間の、表示される時間差を計算するステップと；
−前記実験的ディスプレイの歩度の変動を計算し、前記歩度の変動を目視手段上に表示するステップと
を含む。
【００１９】
特定の一実装形態では：
−時計の時間表示位置と光学的に比較して、利用者の要求で供給される第１の画像と同期した第１の表示位置に前記ディスプレイがある第１の瞬間が記憶され、利用者は前記画像を実際の時計ディスプレイと同期させる必要に応じて前記画像の位置を変えてもよく、前記第１の画像は、内部または外部の時間基準ソースに結合された画像生成器により生成され、
−時計の時間表示位置と光学的に比較して、利用者の要求で供給される第２の画像と同期した第２の表示位置に前記ディスプレイがある第２の瞬間が記憶され、利用者は前記画像を実際の時計ディスプレイと同期させる必要に応じて前記画像の位置を変えてもよく、前記第２の画像は、同一画像生成器により生成される。
【００２０】
ショットを撮るときに、利用者から特に注意する必要がない一変形形態では：
−第１の写真を、内部または外部の時間基準ソースに結合され、かつ第１のショットから得られる第１の画像、および時間基準ソースにより提供される第１の瞬間の時間基準点を記憶するための記憶手段を備えるカメラを使って第１の瞬間に撮り；
−利用者は、画像生成器により生成された第１の画像を前記第１の写真の画像上に重ね、前記第１の画像は利用者の要求で提供され、利用者は、前記第１の画像を前記第１の写真の前記画像に類似させる必要に応じて第１の画像の位置を変更してもよい。前記第１の画像に対応する前記第１の表示値を決定し、第１の表示値を前記第１の瞬間との相関において前記メモリに記憶し；
−前記第１のショットに続く、決められた時間間隔後に、第２の写真を、同一時間基準ソースに結合され、かつ前記第２のショットから得られる第２の画像、および前記時間基準ソースにより提供される前記第２の瞬間の時間基準点を記憶するための同一記憶手段を備える同一カメラを使って同一の前記実験的ディスプレイ上で第２の瞬間に撮り；
−利用者は、画像生成器により生成された第２の画像を前記第２の写真の画像上に重ね、前記第２の画像は利用者の要求で提供され、利用者は、前記第２の画像を前記第２の写真の前記画像に類似させる必要に応じて第２の画像の位置を変えてもよい。前記第２の画像に対応する前記第２の表示値を決定し、前記第２の表示値を、前記第２の瞬間との相関において前記メモリに記憶し；
−第２の表示値と第１の表示値の間の、表示される時間差を計算し；
−前記実験的ディスプレイの歩度の変動を計算し、前記歩度の変動を目視手段上に表示する。
【００２１】
好ましくは、メモリは、一方では前記第１の瞬間との相関において第１の表示値、および他方では第２の瞬間との相関において第２の表示値だけを記憶する。特定のディスプレイに対応する画像を、記憶される表示値に変換すると、本明細書に記載される本発明の最も簡単な実行形態では、本発明を実現するために、関連する画像を記憶する必要がない。当然、メモリ容量に余裕がある場合、および利用者が、このことが有利であると分かった場合、対応する画像を記憶し、使用してもよい。
【００２２】
本発明による方法のこの基本バージョンでは：
−内部時間基準ソースにより形成される、または外部時間ソース３Ａにより送信される信号を受信し、処理して、装置１の内部にあるリピータクロック３を恒久的に更新するように構成された受信および処理手段により形成される時間基準ソース３と；
−表示値間の、および／または前記時間基準ソース３により提供される時間基準点間の時間差を計算し、かつ歩度の変動を計算するように構成された計算手段６と；
−前記計算手段６により計算された少なくとも１つの歩度の変動を記憶し、かつ処理するように構成された他のデータ処理ユニット７Ａ、および／または前記計算手段６により計算された少なくとも１つの歩度の変動を表示するように構成された目視手段７と
を含む装置１、好ましくは集積装置を使って本方法が実現される。
【００２３】
本発明の測定方法の好ましい一実装形態では、特に経済的であるという理由から、内部または外部の時間基準ソース３に結合され、かつ画像および／または前記画像に対応する表示値、ならびに時間基準ソースにより提供される、前記画像に連結される瞬間に対する時間基準点を記憶するための記憶手段４を備える携帯電話またはｉＰｈｏｎｅ（登録商標）またはスマートホンを装置１として使用する。
【００２４】
したがって、設備の簡単な部分を使って、手頃な値段で、スイス公認クロノメータ検査測定（Ｃｏｎｔｒｏｌｅ  Ｏｆｆｉｃｉｅｌ  Ｓｕｉｓｓｅ  ｄｅｓ  Ｃｈｒｏｎｏｍｅｔｒｅｓ、スイスクロノメータ検定協会、以下、「ＣＯＳＣ」と呼ぶ）を行うことが可能である。本方法は、最も一般的な場合では、時間が非常に正確に分かる２つの時点で針の位置を識別することにより機械式腕時計の状態を測定することにある。
【００２５】
本発明の第１の実装形態では、利用者は、単に、仮想針を非常に正確に位置決めすることができる腕時計の文字盤を示すアプリケーションと自分の腕時計を同期させる必要がある。このアプリケーションのために使用されるソフトウェアおよび表示の解像度は、評価される腕時計の解像度と少なくとも同じくらいよい。目的は、歩度を測定する必要のある機械式腕時計との完全な相関が得られるまで、画面上の表示を補正することができることである。この目的を達成したとき、画面へ圧力を加えることにより、腕時計の状態、および装置の、具体的には携帯電話、ｉＰｈｏｎｅ（登録商標）またはスマートホンの時間が正確に記録される。歩度の変動を判定するために、一定期間後に、２回目の動作を繰り返さなければならない。ｉＰｈｏｎｅ（登録商標）またはスマートホンでは時間測定値は非常に正確であるので、腕時計の２つの測定値と２つの状態との間の時間差は、非常に正確に判定される。したがって、比較により、腕時計がどれだけ速いか、または遅いかを正確に確認することが容易である。信頼できる測定を行うために、利用者が望む度ごとに、測定を繰り返すことが可能である。さらに、測定結果に整合性があるように、２つの連続する測定の間の最小時間間隔を設定しなければならない。
【００２６】
本発明の第２の実装形態では、利用者は、携帯電話またはｉＰｈｏｎｅ（登録商標）またはスマートホンのカメラを使って写真を撮る。次いで、利用者は、写真に示される実際の時間と一致する位置に仮想針を重ねる。腕時計の歩度の精度を判定するために、一定期間後に、単に、２回目の動作を繰り返さなければならない。２つの測定値間の周期に対する時間基準を写真と同時に記録する。
【００２７】
これらの２つの実装形態では、各腕時計の歩度の、時間の経過に伴う変化に追従することも可能であり、これにより、異なる腕時計を１年の異なる時間に比較することができるようになる、または時間に伴う、腕時計の任意の劣化を観察することができるようになる。
【００２８】
本方法の具体的な、特に正確な実装形態では：
−時計に備えられる視覚的ディスプレイの中から１つの視覚的ディスプレイを実験的ディスプレイとして選択し；
−第１の写真を、内部または外部の時間基準ソースに結合され、かつ第１のショットから得られる第１の画像を記憶するための記憶手段を備える、画像を撮る手段、好ましくはカメラを使って第１の瞬間に撮り、画像解析器を使用して第１のショットを処理して、前記時間基準ソースにより提供される前記第１の瞬間の時間基準点との相関においてメモリに記憶される第１の表示値を決定し；
−前記第１のショットに続く、決められた時間間隔後に、第２のショットを、同一時間基準ソースに結合され、かつ前記第２のショットから得られる第２の画像を記憶するための同一記憶手段を備える同一カメラを使って同一実験的ディスプレイ上で第２の瞬間に撮り、前記画像解析器を使用して前記第２のショットを処理して、前記時間基準ソースにより提供される前記第２の瞬間の時間基準点との相関においてメモリに記憶される第２の表示値を決定し；
−第２の表示値と第１の表示値の間の、表示される時間差を、好ましくは計算手段を使って計算し；
−前記実験的ディスプレイの歩度の変動を計算し、歩度の変動を目視手段上に表示する。
【００２９】
この歩度の変動を判定するために、好ましくは：
−第２の瞬間の時間基準点と第１の瞬間の時間基準点の間の実際の時間差を計算し；
−表示された時間差と実際の時間差の間の歩度の変動を計算し；
−たとえば、分子としての歩度の変動と分母としての実際の差の間の秒／日の形で表現される比として精度を計算する。
【００３０】
好ましくは、画像解析器による第１の表示値および第２の表示値の決定精度に関して高解像度を得るために、各タイムユニットに対して適切に区別された画像解析を可能にするように、実験的ディスプレイ上で、タイムユニットの大きさの各々の表示が、他のタイムユニットの大きさの表示と区別されるように、第１の瞬間を選択する。
【００３１】
同様に、第２の瞬間に同じことが言えるように、決められた時間間隔を選択することが有利である。詳細には、実験的ディスプレイが針を使用するディスプレイであるとき、これの針が、図１および図２に見られるように、第１の瞬間および第２の瞬間に適切に区別されるように、これらの針に対して、非常に異なる角度位置を選択することが好ましい。
【００３２】
かなりの歩度精度値を得るためには、この決められた時間間隔は、実験的ディスプレイ上で見える最小時間値の表示ステップに対して少なくとも１０００対１の比で選択することが好ましい。当然、特にほぼ１日という長い期間にわたる観察のために、たとえば１０，０００以上のはるかに高い因数を選択することも可能である。
【００３３】
好ましい一適用形態では、Ｓｗｉｓｓ  Ｃｈｒｏｎｏｍｅｔｒｙ  Ｏｆｆｉｃｅにより提供される値と同等の値を得るために、決められた時間間隔を半日以上、または１日以上になるように選択する。一般に、１２時間の正確な倍数を選択することにより、表示が最終位置で、最初の位置と同等の位置に戻ることができるようになる。
【００３４】
しかしながら、本方法は、それでもなお、従来技術と比較して非常に満足のいく結果を伴い、たとえばおよそ１分または１時間というはるかに短い継続期間に対して適用してもよい。
【００３５】
したがって、外部パラメータの影響を取り除くために、一連のサイクルを実行することができる：
−一般に、前記第１の瞬間との相関においてメモリに記憶された第１の表示値、および前記第２の瞬間との相関において前記メモリに記憶された第２の表示値を記憶する一連のサイクルを実行し、表示された差の計算結果、実際の差、歩度の変動および精度を記憶し、平均精度を計算し；
−画像を撮った場合、第１のショットおよび第２のショットについて一連のサイクルを実行し、表示された差の計算結果、実際の差、歩度の変動および精度を記憶して、精度値を平均することにより、または蓄積された時間差に対する蓄積された歩度の変動の比により、平均精度を計算する。
【００３６】
製造する際に、本方法を複数の時計に適用することは有利である。前記第１の瞬間との相関においてメモリに記憶された第１の表示値、および前記第２の瞬間との関連において前記メモリに記憶された第２の表示値を記憶する各サイクルを各時計に対して同一条件で実行する。各時計の精度を計算し、写真を撮る場合には、同一条件で写真を撮り、各時計の精度を計算し、次いで、これにより、さまざまな時計の精度を比較することができるようになり、時計をさまざまな精度の部類に分類することができるようになる。
【００３７】
本発明による本方法の有利な一変形実装形態では、本方法を複数の時計に適用し、同一時間および同一条件でショットを撮る。互いに独立して各時計のショットを処理するために画像識別手段を使用して、および画像解析手段および計算手段を制御する手段を使用して、各時計の精度を計算し、前記制御手段は、歩度の変動の計算結果を時計の各々に対して割り当てるように構成される。
【００３８】
この場合、標準的な腕時計または標準的な掛け時計や置き時計を時計の１つとして選択することが有用である。
【００３９】
この測定方法の一代替形態では：
−同一時間基準ソースに結合した同一カメラを使用して、ビデオショットにより第２のショットを拡張し、同一時間基準ソースは、解析器が、図４に示されるように、図３に示される第１の瞬間に認識した画像と同一の画像を認識したときにショットを停止するように画像解析器に結合され；
−画像解析器がショットを停止した時点、および時間基準ソースにより供給される第３の瞬間の時間基準点に対応する第３の瞬間を記憶し；
−第３の瞬間の時間基準点と第１の瞬間の時間基準点の間の周期差を計算し；
−周期差と、表示が同一位置に戻ると想定される理論的周期との間の周期の変動を計算し；
−周期の変動と理論的周期の間の比として精度を計算する。
【００４０】
本発明の方法のこの有利な変形形態では、その後に第２の画像を第２の瞬間に撮った、決められた時間間隔は、利用者が望む実験的継続期間、たとえば１日に従って利用者により決定された最小時間間隔であることは明らかである。
【００４１】
他の変形形態では、ショットのすべてをビデオの形で撮り、表示インジケータが、詳細には針が明瞭に見えることを確認するためにその場で、ランダムに、または幾分ランダムに第１の瞬間を決定し、画像解析器が第１の瞬間に記憶された画像と同一の新しい画像を検出するとすぐに、画像解析器により第２の瞬間が決定される。
【００４２】
ビデオバージョンのさらに他の変形形態では、画像解析器は制御システムにより制御され、制御システムは第１の瞬間の画像とまったく同じ画像を数回通過することができるようにし、このような通過回数を加算する。したがって、実質的により長い継続期間にわたり、たとえば時計の動力の蓄え全部にわたり解析を行うことが可能である。解析を順々に行って、時計の歩度の変動に及ぼす香箱降下の影響を判定することも可能であり、有利である。
【００４３】
本発明による測定方法の好ましい一実装形態では、特に経済的であるという理由から、内部または外部の時間基準ソースに結合され、かつショットから得られる画像および／またはこれらの画像に対応する表示値、ならびに時間基準ソースにより提供される、ショットを撮った瞬間の時間基準点を記憶するための記憶手段を備えるカメラとして、携帯電話またはｉＰｈｏｎｅ（登録商標）またはスマートホンを選択し、使用する。
【００４４】
この測定方法によれば、クロックなどの解析装置の内部にあるソース、または周期信号もしくはＧＰＳ信号もしくは無線信号もしくは類似のものを送信する外部時間ソースを時間基準ソースとして選択し、使用する。
【００４５】
本発明はまた、本方法を実現するための装置１であって：
−時計１０の写真および／またはビデオを撮る手段２と；
−図１に示すように、内部時間基準ソースにより形成される、または図２に示すように、外部時間ソース３Ａにより送信される信号を受信し、処理して、装置の内部にあるリピータクロック３を恒久的に更新するように構成された受信および処理手段により形成される時間基準ソース３と；
−写真および／またはビデオを撮る手段２は時間基準ソース３に結合されることと；
−ショットから得られる画像および／または前記画像に対応する表示値、ならびにショットを撮った瞬間の、時間基準ソース３により供給される時間基準点を記憶するための記憶手段４と；
−画像解析ハードウェアおよび／またはソフトウェア手段５と；
−撮られた各ショット内の視覚的インジケータの空間内位置と；
−および／または撮られた各ショット内の時間表示値と；
−画像解析手段５により供給される表示値間の、および／または時間基準ソース３により供給される時間基準点間の時間差を計算し、かつ歩度の変動を計算するように構成された計算手段６と；
−結果を利用するために、一般に装置１の外部にある計算手段により計算された少なくとも１つの歩度の変動を記憶し、かつ処理するように構成された、図１に示す他のデータ処理ユニット７Ａ、および／または計算手段により計算された少なくとも１つの歩度の変動を表示するように構成された、好ましくは図２に示すように装置１に組み込まれた目視手段７と
を含む装置１に関する。
【００４６】
詳細には、画像解析手段５は、関連する各時計の表示を解釈するためのハードウェアおよび／またはソフトウェアモジュールを含まなければならない。実際には、画像解析手段５が、好ましくは、文字盤の中心に３本の針を有する時計１０の通常の構成専用である場合、中心から外れたディスプレイ、逆行的なまたはジャンプするディスプレイ、デジタルディスプレイまたは他のディスプレイの場合を処理できなければならない。したがって、本発明が、好ましくは機械式時計を検査するために考案された場合、視覚的ディスプレイを備える任意のタイプの時計に適用可能である。
【００４７】
画像解析手段５は、さらに有利には、時計１０の表示手段の幾何学的位置を考慮するように構成された手段を含む。
【００４８】
好ましくは、装置１は、時間基準ソース３を参照して、撮影手段２、記憶手段４、画像解析手段５、計算手段６の処理および解析を協調させて、信号方式手段７および／または他のデータ処理ユニット７Ａに、計算手段６により計算された歩度の変動を配送するように構成された制御手段７を含む。
【００４９】
いくつかの時計を同時に観察することに関する特定の用途では、装置１は、互いに独立にいくつかの時計の同時に撮られたショットを処理するための、好ましくは画像解析手段５および／または計算手段６に一体化された画像識別手段を含み、装置１は、画像解析手段５および計算手段６を制御する手段８を含み、前記制御手段８は、歩度の変動の計算結果を時計の各々に割り当てるように構成される。当然、この場合、画像解析手段５は、時計の各々の表示を解釈するためのハードウェアおよび／またはソフトウェアモジュールを含まなければならない。
【００５０】
好ましい用途では、時間基準ソース３は、外部時間ソース３Ａにより送信される信号を受信し、処理して、装置内部のクロックリレーを恒久的に更新するように構成された受信および処理手段を含み、外部時間基準ソース３Ａは、ＧＰＳ信号送信機ネットワークにより、または周期信号を配送する電話網により、または１ヘルツまたは無線の信号を送信するマザークロックにより形成される。
【００５１】
好ましくは、この装置１は、このタイプの内部または外部の時間基準ソース３に結合された携帯電話またはｉＰｈｏｎｅ（登録商標）またはスマートホンにより形成される。
【００５２】
簡単に言えば、提案されるシステムは、ＣＯＳＣタイプの測定に相当する。提案されるシステムは、その最も一般的な用途では、時間が既知である、または時間を非常に正確に決定することができる２つの時点で秒針の位置を識別することにより、機械式腕時計の状態を測定することにある。提案されるシステムは、画像を撮った時間を記憶しながら、電話機のカメラを使用して、文字盤の画像を撮る。時間が経つにつれて、時間合わせ、および動きが変化する回数により精度は影響を受ける。視覚認識ソフトウェアを使用して、秒針の位置、および必要な場合には他の針の位置を高いレベルの精度で、典型的にはおよそ０．１秒の精度で決定し、したがって、腕時計の状態は±０．５秒を上回る範囲内に決定される。携帯電話またはｉＰｈｏｎｅ（登録商標）またはスマートホンは、ＧＰＳにより提供される時間基準などの非常に正確な時間基準にアクセスすることができることを考慮すると、２つの画像間の時間間隔にわたる精度は、ショットの精度により決定される。たとえば、利用者が１日の間隔で自分の腕時計の写真を撮ると仮定すると、したがって、利用者は自分の腕時計の歩度を１秒／日未満の範囲内の精度で測定することができる。
【００５３】
したがって、本発明は、およそ１日の時間間隔で自分の腕時計の文字盤の写真を２枚撮ることにより、自分の携帯電話またはｉＰｈｏｎｅ（登録商標）またはスマートホンを使用することにより、自分の機械式腕時計の精度を測定する可能性を利用者に提供する。画像解析手段は解析ソフトウェアを含み、したがって、解析ソフトウェアは、秒針の位置を視覚的に認識し、たとえばＧＰＳ信号により提供されるクロックなどの正確なクロックを時間基準として使って、腕時計の平均歩度を秒針の位置から演繹する。
【００５４】
携帯電話よりも高い解像度手段があれば、本発明により同じく、製造業者が製品を迅速に、かつ非常に経済的に分類することができるようになる。
【図１】
0005671152.tif 000002
【図２】
0005671152.tif 000003
【図３】
0005671152.tif 000004
【図４】
0005671152.tif 000005